(57)【要約】  記名板の紛失等の問題を解消できると共に、メンテナンスなどの際に外部端子部にドライバーを挿入する操作の邪魔にならず、破損が発生することもない記名板を備えた電気機器を提供する。  電気機器としてのリレーソケット（１）は、リレー（２）が装着されるソケット本体（３）と、回動操作することにより装着されたリレー（２）をソケット本体（３）から抜脱させるリリースレバー（４）とを備えている。ソケット本体（３）とリリースレバー（４）とは筐体を構成する。  ソケット本体（３）は、入力側端子部（Ａ１）と出力側端子部（Ｂ１，Ｂ２，Ｂ３）を備え、リリースレバー（４）には、折り曲げ可能な記名板部（１０）が一体成形されている。
2012169544.tif 000002
【特許請求の範囲】
【請求項１】
筐体と、
前記筐体に設けられ、外部と電気的に接続するための外部端子部と、
前記筐体に一体成形され、折り曲げ可能な記名板部と、
を備えたことを特徴とする電気機器。
【請求項２】
前記筐体は、
リレーが装着されるソケット本体と、回動操作することにより装着されたリレーをソケット本体から抜脱させるリリースレバーとを備え、
前記記名板部は前記リリースレバーに設けられている請求項１記載の電気機器。
【請求項３】
前記ソケット本体の底面は取付部を有し、前記記名板部は折り曲げた状態で主面が平面を向く請求項２記載の電気機器。
【請求項４】
前記リリースレバーは、前記リレー底面が当接する水平部と、回動操作を行う操作部として機能する垂直部とを有し、前記垂直部に前記記名板部が設けられている請求項２記載の電気機器。
【請求項５】
前記記名板部の上端及び下端のいずれか一方は薄肉状に成形された第１連結部を介して前記垂直部と連なり、前記記名板部の上端及び下端のいずれか他方は両側部が幅方向中央部側にくびれた第２連結部を介して前記垂直部と連なっており、
前記第２連結部を切断することにより、前記記名板部は、前記第１連結部を折り曲げ中心として平面側に折り曲げ可能に構成されている請求項４記載の電気機器。
【請求項６】
前記記名板部の上端及び下端のいずれか他方には凹部が形成されており、該凹部の底面が前記第２連結部を介して前記垂直部と連なっている請求項５記載の電気機器。
【請求項７】
前記記名板部は略垂直状態から略水平状態となる位置まで折り曲げられた状態で支持固定部によって支持固定されている請求項５記載の電気機器。
【請求項８】
前記支持固定部は、前記記名板部の側方に配置され前記第１連結部の側部に向けて突出した弾性の突部を含み、
前記記名板部を略垂直状態から折り曲げることにより、前記記名板部によって前記突部が弾性変形して前記記名板部が前記突部を乗り越え、前記記名板部の戻りが前記突部によって規制されることにより前記記名板部が略水平状態で支持され、その支持状態で前記記名板部を逆方向に折り曲げることにより、前記記名板部によって前記突部が弾性変形して前記記名板部が突部を乗り越え、前記記名板部が元の略垂直状態となるように構成されている請求項７記載の電気機器。
【請求項９】
前記突部に隣接して上下方向に延びる長孔が形成されている請求項８記載の電気機器。
【請求項１０】
前記外部端子部の端子ねじを覆う位置に、折り曲げた記名板部が存在する請求項１〜９のいずれかに記載の電気機器。
【発明の詳細な説明】
【技術分野】
【０００１】
本発明は、外部と電気的に接続するための外部端子部を有する電気機器に関する。
【背景技術】
【０００２】
従来より、電気機器の一例として、制御盤内におけるリレーに対する結線作業を簡略化したりリレーの変換を容易にしたりするために、リレーソケットが用いられている。このリレーソケットは、リレーが装着されるソケット本体と、リレーを装着したり装着されたリレーをソケット本体から抜脱させたりするリリースレバーとから構成される。【０００３】
ところで、このようなリレーソケット１００では、リレーの接続先やリレーの機能等を表示するために、ソケット本体１０１やリリースレバー１０２に別部品のマーキングプレート（以下、記名板と称する。）１０３を取り付け、記名板１０３に文字や記号を直接印刷したり、文字や記号を印字したシール等を貼り付けて表示している（図１７、図１８参照）。記名板１０３はアクセサリとして別売していたり、またメーカーによってはリレーソケット１００に標準添付している場合もある。【０００４】
上記従来例では以下のような問題がある。
（１）ユーザーが記名板１０３を使用する場合、記名板１０３をリレーソケット１００とは別に購入する必要があり、発注工数がかかる。
（２）リレーソケット１００に記名板１０３を添付して販売している場合は、記名板１０３を使用しないユーザーにとっては無駄な部品となってしまう。
（３）記名板１０３をソケット本体１０１の端子部に取り付けている場合、メンテナンス時などで端子ねじ部分（外部端子部）にドライバー１０４などの工具を使用するときには、記名板１０３を取り外す必要がある（図１９参照）。そのため、記名板１０３の紛失や取り付け間違いなどが起こる可能性がある。特に、リレーソケットを複数連結して使用する構成にあっては、記名板１０３の紛失や取り付け間違いなどが頻繁に起こり得る。【０００５】
そこで、上記の問題を解決するため、リリースレバーに一体的に記名板を設けることが提案されている（以下の特許文献１参照）。この従来例を具体的説明すると、着脱用レバー（リリースレバーに相当）の垂直部の外側面に取付軸（記名板部に相当）を一体成形し、取付軸にはネームプレートを着脱可能に取り付ける構成である。
【先行技術文献】
【特許文献】
【０００６】
【特許文献１】特許第３９１５４２４号公報
【発明の概要】
【発明が解決しようとする課題】
【０００７】
上記特許文献１に記載の従来例では、取付軸（記名板部に相当）が着脱用レバー（リリースレバーに相当）に一体成形されており、本体の端子部からの記名板の着脱ができないため、記名板の紛失等の問題は解消される。しかし、上記特許文献１に記載の従来例では、以下の新たな問題が生じる。
取付軸が可動せず、常に外側に張り出し態様のままであるので、メンテナンス時などの際に、取付軸の下方に位置する端子ねじ部分にドライバーを挿入しようとすると、取付軸が邪魔になって、ドライバーの操作に支障をきたすことになったり、ドライバーが取付軸に接触しても強引にドライバーの操作を行ったりすると取付軸が破損したりするという問題が生じる。勿論、取付軸の面積を極端に小さくすれば、ドライバー操作に支障をきたすこと等の問題は解消されるけれども、記名板に記名する文字・記号の数が制約されることになり、必要な文字・記号を全て記載しようとすれば文字・記号が小さくなって見えずらくなり、記名板として十分に機能しないことになる。【０００８】
上記の問題は、リレーソケット以外の、外部と電気的に接続するための外部端子部を有する電気機器（ＩＣソケット、押しボタンスイッチ、端子台、電源等）にも当てはまる。【０００９】
そこで、従来から、メンテナンスなどの際に、外部端子部にドライバーを挿入する操作の邪魔にならず、破損が発生することもない記名板を備えた電気機器が所望されていた。【００１０】
本発明は、上記の実情を鑑みて考え出されたものである。その目的は、記名板の紛失等の問題を解消できると共に、メンテナンスなどの際に外部端子部にドライバーを挿入する操作の邪魔にならず、破損が発生することもない記名板を備えた電気機器を提供することである。
【課題を解決するための手段】
【００１１】
上記目的を達成するため請求項１記載の発明は、電気機器であって、筐体と、前記筐体に設けられ、外部と電気的に接続するための外部端子部と、前記筐体に一体成形され、折り曲げ可能な記名板部とを備えたことを特徴とする。【００１２】
上記構成によれば、筐体に記名板部を一体成形することにより、記名板の紛失等の問題を解消できる。また、記名板部を折り曲げ可能に構成することにより、記名板使用時には記名板部を外側に折り曲げて使用でき、また、メンテナンスなどの際には記名板部を元の状態に戻すことにより、外部端子部へのドライバーの挿入操作の邪魔にならず、記名板部が破損することがない。また、記名板部を折り曲げなければ、記名板なしの筐体を備えた電気機器として使用できる。【００１３】
また、請求項２記載の発明は、請求項１記載の電気機器であって、前記筐体は、リレーが装着されるソケット本体と、回動操作することにより装着されたリレーをソケット本体から抜脱させるリリースレバーとを備え、前記記名板部は前記リリースレバーに設けられていることを特徴とする。【００１４】
上記構成によれば、メンテナンスなどの際に、端子ねじ部分にドライバーを挿入する操作の邪魔にならず、破損が発生することもない記名板を備えたリレーソケットが実現される。【００１５】
また、請求項３記載の発明は、請求項２記載の電気機器であって、前記ソケット本体の底面は取付部を有し、前記記名板部は折り曲げた状態で主面が平面を向くことを特徴とする。【００１６】
上記構成によれば、記名板部を折り曲げると、記名板部の主面（文字や記号が記入された面）が平面を向くので見やすいという効果を奏する。【００１７】
また、請求項４記載の発明は、請求項２記載の電気機器であって、前記リリースレバーは、前記リレー底面が当接する水平部と、回動操作を行う操作部として機能する垂直部とを有し、前記垂直部に前記記名板部が設けられていることを特徴とする。【００１８】
また、請求項５記載の発明は、請求項４記載の電気機器であって、前記記名板部の上端及び下端のいずれか一方は薄肉状に成形された第１連結部を介して前記垂直部と連なり、前記記名板部の上端及び下端のいずれか他方は両側部が幅方向中央部側にくびれた第２連結部を介して前記垂直部と連なっており、前記第２連結部を切断することにより、前記記名板部は、前記第１連結部を折り曲げ中心として平面側に折り曲げ可能に構成されていることを特徴とする。【００１９】
上記構成によれば、第２連結部を切断するという簡単な操作で、記名板を使用することが可能となる。【００２０】
また、請求項６記載の発明は、請求項５記載の電気機器であって、前記記名板部の上端及び下端のいずれか他方には凹部が形成されており、該凹部の底面が前記第２連結部を介して前記垂直部と連なっていることを特徴とする。【００２１】
上記構成によれば、第２連結部を切断した際にバリが発生しても、バリが記名板部の外周からはみ出すことがなく、記名板部の折り曲げに支障をきたすことがない。【００２２】
また、請求項７記載の発明は、請求項５記載の電気機器であって、前記記名板部は略垂直状態から略水平状態となる位置まで折り曲げられた状態で支持固定部によって支持固定されていることを特徴とする。【００２３】
上記構成によれば、記名板部が略水平状態で支持固定されるので、記名板部が見易い。【００２４】
また、請求項８記載の発明は、請求項７記載の電気機器であって、前記支持固定部は、前記記名板部の側方に配置され前記第１連結部の側部に向けて突出した弾性の突部を含み、前記記名板部を略垂直状態から折り曲げることにより、前記記名板部によって前記突部が弾性変形して前記記名板部が前記突部を乗り越え、前記記名板部の戻りが前記突部によって規制されることにより前記記名板部が略水平状態で支持され、その支持状態で前記記名板部を逆方向に折り曲げることにより、前記記名板部によって前記突部が弾性変形して前記記名板部が突部を乗り越え、前記記名板部が元の略垂直状態となるように構成されていることを特徴とする。【００２５】
上記構成によれば、弾性の突部を利用して記名板部を略水平状態で支持固定できるとともに、メンテナンスの際などに略水平状態の記名板部を元の略垂直状態に戻すことが可能となる。【００２６】
また、請求項９記載の発明は、請求項８記載の電気機器であって、前記突部に隣接して上下方向に延びる長孔が形成されていることを特徴とする。【００２７】
上記構成によれば、突部はその両端で支持された両端支持樹脂バネ構造で構成されることになり（図１１参照）、突部のバネ性機能が向上される。【００２８】
また、請求項１０記載の発明は、請求項１〜９のいずれかに記載の電気機器であって、前記外部端子部の端子ねじを覆う位置に、折り曲げた記名板部が存在することを特徴とする。【００２９】
上記構成によれば、記名板部を元の状態に戻すと、外部端子部の端子ねじが現れ、ドライバーを挿入することができる。
【発明の効果】
【００３０】
本発明によれば、筐体に記名板部を一体成形することにより、記名板の紛失等の問題を解消できる。また、記名板部を折り曲げ可能に構成することにより、記名板使用時には記名板部を外側に折り曲げて使用でき、また、メンテナンスなどの際には記名板部を元の状態に戻すことにより、外部端子部へのドライバーの挿入操作の邪魔にならず、記名板部が破損することがない。また、記名板部を折り曲げなければ、記名板なしの筐体を備えた電気機器として使用できる。
【図面の簡単な説明】
【００３１】
【図１】本実施の形態に係るリレーソケット（電気機器）を複数連結して使用する例を示す斜視図。
【図２】本実施の形態に係るリレーソケット（電気機器）の斜視図（記名板部未使用時）。
【図３】本実施の形態に係るリレーソケット（電気機器）の側面図（記名板部未使用時）。
【図４】本実施の形態に係るリレーソケット（電気機器）の正面図（記名板部未使用時）。
【図５】本実施の形態に係るリレーソケット（電気機器）の背面図（記名板部未使用時）。
【図６】本実施の形態に係るリレーソケット（電気機器）の平面図（記名板部未使用時）。
【図７】リリースレバーの一部拡大正面図（記名板部未使用時）。
【図８】リリースレバーの一部拡大斜視図（記名板部未使用時）。
【図９】図７の一部を拡大した図（記名板部未使用時）。
【図１０】図７の矢視Ｘ１−Ｘ１断面図（記名板部未使用時）。
【図１１】長孔付近の側面図（記名板部未使用時）。
【図１２】本実施の形態に係るリレーソケットの側面図（記名板部使用時）。
【図１３】本実施の形態に係るリリースレバーの一部拡大斜視図（記名板部使用時）。
【図１４】図７の矢視Ｘ１−Ｘ１断面図（記名板部使用時）。
【図１５】ドライバー操作時の記名板部の使用状況を説明するための図。
【図１６】長孔に代えて凹部を用いた他の実施の形態を示す図。
【図１７】従来例を示す斜視図。
【図１８】従来例を示す斜視図。
【図１９】従来例の使用状態を説明するための図。
【発明を実施するための形態】
【００３２】
以下、本発明を実施の形態に基づいて詳述する。なお、本発明は、以下の実施の形態に限定されるものではない。
【００３３】
図１は本実施の形態に係るリレーソケット（電気機器）を複数連結して使用する例を示す斜視図である。複数個のリレーソケット１は、支持レール（ＤＩＮレール）２００に着脱可能に装着して使用することができる。リレーソケット１は、樹脂成形品であり、リレー２が装着されるソケット本体３と、回動操作によって装着されたリレー２をソケット本体３から抜脱させるリリースレバー４とを備えている。ソケット本体３は、入力側端子部Ａ１と出力側端子部Ｂ１，Ｂ２，Ｂ３を備え、各端子部（外部端子部）Ａ１，Ｂ１〜Ｂ３には端子ねじＣ（図５、図６参照）が取り付けられている。メンテナンス時には、電線を着脱するためドライバーを用いて端子ねじＣを緩めたり、締め付けたりする操作が行われる。ソケット本体３とリリースレバー４とは、筐体を構成する。
【００３４】
図２は本実施の形態に係るリレーソケットの斜視図、図３は本実施の形態に係るリレーソケットの側面図、図４は本実施の形態に係るリレーソケットの正面図、図５は本実施の形態に係るリレーソケットの背面図、図６は本実施の形態に係るリレーソケットの平面図、図７はリリースレバーの一部拡大正面図、図８はリリースレバーの一部拡大斜視図、図９は図７の一部を拡大した図、図１０は図７の矢視Ｘ１−Ｘ１断面図である。リリースレバー４は、側面視略Ｌ字形を有する成形体であり、リレー２の底面が当接する水平部４Ａと、回動操作を行う操作部として機能する垂直部４Ｂとを備える（図２参照）。水平部４Ａと垂直部４Ｂとの交差部には、軸部７がソケット本体３を挿入して設けられており、これにより、リリースレバー４は軸部７を回動中心として矢印Ｎ１及びＮ２（図３参照）方向に可動自在にソケット本体３に支持されている。また、図６に示すリレーソケット１の平面の反対側の面がリレーソケット１（ソケット本体３）の底面である。
【００３５】
リリースレバー４の具体的な構成としては、図２に示すように、左右一対の側部８，８と、側部８，８間を繋ぐ正面部９とから構成されている。側部８は、水平部８ａと垂直部８ｂとから成る。なお、前記水平部４Ａは、側部８，８の水平部８ａ，８ａで構成され、前記垂直部４Ｂは、側部８，８の垂直部８ｂ，８ｂと正面部９とから構成されている。
【００３６】
リリースレバー４の正面部９には、記名板部１０が一体成形されている。記名板部１０の前側表面（主面）１０ａには、リレーの接続先やリレーの機能等に関する文字や記号を直接印刷したり、当該文字や記号を印字したシール等を貼り付けて表示を行う。記名板部１０は、略方形状であって、その上端は第１連結部１１を介して正面部９の上側部分９ａに連なっている（図７、図８参照）。第１連結部１１はその外側表面が半円弧状に凹んだ薄肉状に成形されている（図８、図１０参照）。このような構成により、後述する第２連結部１３の切断後は、第１連結部１１を折り曲げ中心として、記名板部１０を容易に折り曲げることが可能となっている。即ち、第１連結部１１はヒンジとしての機能を発揮するように構成されている。
【００３７】
また、図７及び図８に示すように、記名板部１０の下端には凹部１２が形成されており、凹部１２の幅方向中央部と正面部９の下側部分９ｂの幅方向中央部とが第２連結部１３を介して連なっている。第２連結部１３は、両側部が幅方向中央部側にくびれた形状であって、基台部１３ａと棒状体部１３ｂとから成る。棒状体部１３ｂの先端（図７の上端）における前面及び背面には、図１０に示すように、Ｖ字状の切欠き１４が形成されており、棒状体部１３ｂの先端部を容易に切断することが可能になっている。
また、このように、記名板部１０と正面部９とを連結する第２連結部１３が細い形状となっていることから、切断した際のバリの発生を抑制することができる。更に、バリが発生したとしても、凹部１２が形成されていることにより、バリが記名板部１０の外周からはみ出すことがなく、そのため、記名板部１０の動作に支障をきたすことはない。
【００３８】
また、側部８，８の垂直部８ｂ，８ｂの内側面には、第１連結部１１に向けて突出した突部（固定部）１５，１５が形成されている。一方の突部１５と他方の突部１５とは、高さ方向に関して略同一位置に形成されている。突部１５，１５の上側には、図９に示すように凹部２０が形成されており、記名板部１０が突部１５，１５を乗り越えて略水平状態に折り曲げられた際に、図９の仮想線で示すように記名板部１０の側部が上側内面２０ａと下側内面２０ｂとの間に嵌り込むようになっている。凹部２０の上側内面２０ａは、記名板部１０の上側への曲げすぎを規制する働きをする。また、凹部２０の下側内面２０ｂは、記名板部１０の戻りを規制して水平状態に支持する働きをする。
なお、側部８，８の垂直部８ｂ，８ｂには、突部１５，１５に隣接して上下方向に延びる長孔２２，２２が形成されている。この長孔２２，２２により、図１１に示すように、突部１５，１５は両端Ｓ１，Ｓ２で支持された両端支持樹脂バネ構造Ｓで構成されることになり、突部１５，１５のバネ性機能が向上されるようになっている。
【００３９】
本実施の形態では、従来例と同様に別体の記名板１０３をリレーソケット本体３の外部部に露呈する端子部（外部端子部）Ａ１、Ｂ１，Ｂ２，Ｂ３及びリリースレバー４の垂直部４Ｂの頂部Ａ２に取り付けることが可能となっている（図２参照）。従って、従来例と比べれば、本実施の形態は、記名板部１０を１個多く取り付けることが可能な構成となっている。なお、記名板１０３はその先端が下方に折れ曲がったＬ字状に形成されており、このＬ字状部分（図示せず）が端子部Ａ１、Ｂ１，Ｂ２，Ｂ３，頂部Ａ２の取付溝に嵌り込んで取り付けられるようになっている。
【００４０】
図１２は記名板部使用時におけるリレーソケットの側面図、図１３は記名板部使用時におけるリリースレバーの一部拡大斜視図、図１４は記名板部使用時における図１０に対応するリリースレバーの断面図である。
これらの図面を参照して、上記構成のリレーソケット１における記名板部１０の使用時の操作について説明する。記名板部１０を使用する際には、第２連結部１３をニッパー等の工具を用いるか若しくは手で切断する。次いで、記名板部１０を、第１連結部１１を折り曲げ中心として矢印Ｍ１方向に略水平状態（図１３参照）となるまで折り曲げる。このとき、記名板部１０は突部１５，１５を弾性変形させて、突部１５，１５を乗り越えて上側内面２０ａと下側内面２０ｂとの間に嵌り込む。これにより、記名板部１０は略水平な状態で支持固定されることになり、記名板として使用することができることになる。逆に、略水平状態で記名板部１０をＭ１とは逆の方向Ｍ２に折り曲げることにより、記名板部１０によって突部１５が弾性変形して記名板部１０が突部１５，１５を乗り越え、記名板部１０が元の略垂直状態となる。
【００４１】
なお、メンテナンスなどのために、ドライバー３０を用いて端子部Ａ１の端子ねじＣを緩めたり、締め付けたりする操作を行う場合、図１に示すように記名板部１０を折り曲げた状態では、記名板部１０が端子部Ａ１の端子ねじＣを平面から見て覆っているため、ドライバーの先端は記名板部１０が邪魔になり、端子ねじＣの頭部に差し込めない。そこで、記名板部１０をＭ２方向（図１３方向）に回動して元の状態（略垂直状態、図１５参照）に戻す。これにより、ドライバーを挿入する操作の邪魔にならず、記名板部１０が破損することもない。
【００４２】
（その他の事項）
（１）本発明はリレーソケットに限るものではなく、電源、端子台、ＩＣソケット、押しボタンスイッチ等、外部と電気的に接続するための外部端子部を有する電気機器であればよい。
【００４３】
（２）上記実施の形態では、記名板部１０はリリースレバー４の正面部９に設けられたけれども、側部８の空きスペースに設けるようにしてもよい。また、リレーソケット本体３及びリリースレバー４の少なくとも一方に記名板部１０を設ければよく、リリースレバー４に代えて、リレーソケット本体３の空きスペースに設けるようにしてもよし、リレーソケット本体３及びリリースレバー４の両方に設けるようにしてもよい。
【００４４】
（３）上記実施の形態では、記名板部１０は下から上に折り曲げ可能となっていたが、上から下に折り曲げ可能に構成してもよい。なお、上から下に折り曲げ可能な構成に比べて、上記実施の形態のような下から上に折り曲げ可能な構成では、より高い位置での記名板の使用が可能となり、ユーザーにとっては記名板を見易いという利点がある。
また、記名板部１０に記名シールを貼り付ける際に誤って力を入れすぎた場合には、上から下に折り曲げ可能な構成では記名板部１０に対して戻す方向とは逆方向に力が作用するので、破損する恐れがある。これに対して、下から上に折り曲げ可能な構成では、力の作用方向が記名板部１０の戻る方向であることから、破損が生じることはない。
また、メンテナンス時において、記名板部１０を元に戻すことなく、引き出された状態のまま端子ねじ部にドライバー操作を行った場合にも、上から下に折り曲げ可能な構成では、ドライバーによって記名板部１０に対して戻す方向とは逆方向にドライバーの力が作用するので、破損する恐れがある。これに対して、下から上に折り曲げ可能な構成では、ドライバーの力の作用方向が記名板部１０の戻る方向であることから、破損が生じることはない。
【００４５】
（４）上下方向の可動に限定されず、左右方向に可動な構成としてもよい。壁にリレーソケット１が取り付けられので、前面側から記名板部１０を見るのが一般的であり、そのため、記名板部１０は上下方向に可動する構成であることが必要とされる。しかし、ユーザー使用の態様に当たっては、記名板部１０は上下方向に可動する構成であることが好ましい場合もあり、そのような場合に用いられることが考えられる。
【００４６】
（５）上記実施の形態では、長孔２２を形成することにより突部１５，１５のバネ性を向上させたけれども、図１６に示すように突部１５，１５の肉厚を薄くすべく、側部８，８表面の突部１５，１５に対応する部分に凹部４０を形成するようにしてもよい。
【００４７】
（６）上記実施の形態では、第２連結部１３を切断する構成としたけれども、記名板部１０の下端面、及び、正面部９の下側部分９ｂにおける上端面の一方に凹部を成形し、他方に凸部を成形して、凸部を凹部に嵌め込むことで記名板部１０を正面部９に仮固定し、使用時に記名板部１０を折り曲げる構成とすることも考えられる。しかし、このような構成にすれば、成形金型が複雑になり製造コストが高くなる。また記名板部１０の固定が緩やかなために、記名板部１０に文字・記号等を印刷することが困難であるという問題がある。本実施の形態のように記名板部１０を第２連結部１３を介して正面部９に一体成形しておき、使用時に第２連結部１３を切断する構成の場合には、上記の問題は生じることはない。
【００４８】
（７）ソケット本体３の底面に設けられた取付部２０１は、壁面、床面、天井面又は制御箱の内壁などの外部に取り付けるための部分であり、ＤＩＮレール２００を取り付ける構造の他に、ネジなどによって外部に取り付ける構造であってもよい。
【００４９】
（８）支持固定部は突部１５の場合を示したが、これ以外でもよく、例えば磁石によって記名板部１０を折り曲げた状態で固定するものであってもよい。
【産業上の利用可能性】
【００５０】
本発明は、リレーソケット、ＩＣソケット、押しボタンスイッチ、端子台、電源等、外部と電気的に接続するための外部端子部を有する電気機器に適用される。
【符号の説明】
【００５１】
１：リレーソケット（電気機器）
２：リレー
３：ソケット本体
４：リリースレバー
１０：記名板部
１２：凹部
１１：第１連結部
１３：第２連結部
４Ａ：リリースレバーの水平部
４Ｂ：リリースレバーの垂直部
１５：突部
２０：凹部
Ａ１：入力側端子部（外部端子部）
Ｂ１，Ｂ２，Ｂ３：出力側端子部（外部端子部）
【図１】
2012169544.tif 000003
【図２】
2012169544.tif 000004
【図３】
2012169544.tif 000005
【図４】
2012169544.tif 000006
【図５】
2012169544.tif 000007
【図６】
2012169544.tif 000008
【図７】
2012169544.tif 000009
【図８】
2012169544.tif 000010
【図９】
2012169544.tif 000011
【図１０】
2012169544.tif 000012
【図１１】
2012169544.tif 000013
【図１２】
2012169544.tif 000014
【図１３】
2012169544.tif 000015
【図１４】
2012169544.tif 000016
【図１５】
2012169544.tif 000017
【図１６】
2012169544.tif 000018
【図１７】
2012169544.tif 000019
【図１８】
2012169544.tif 000020
【図１９】
2012169544.tif 000021
【国際調査報告】
2012169544.tif 000022
2012169544.tif 000023
2012169544.tif 000024
2012169544.tif 000025